【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
調理容器（１）に取り外し可能に配備されるように意図された食品調理管理器具（２０）であって、前記調理管理器具（２０）は、これが配備される前記調理容器（１）の種類および／または制御ユニット（２７）によって作動させられるいくつかの調理サイクルを特徴付けるデータが格納された制御装置（５０）を、使用者に対して視覚信号を発することを可能にするセグメント化液晶ディスプレイ（３０）と共に含み、前記制御装置（５０）は、格納された前記データに対応する第１の種類の調理容器および／または作動している第１の調理サイクルを表す第１のアイコン表示することを可能にするために前記ディスプレイ（３０）の１つ以上のセグメント（３４，３５，３６，３７，３８；４０，４１，４２，４３）を作動させ、前記制御装置（５０）は、前記第１のアイコンを表示するために作動する少なくとも１つの前記セグメント（３４，４０）を作動させることによって、第２の種類の調理容器を表す少なくとも１つの第２のアイコンおよび／または第２の調理サイクルを表示するように設計されていることを特徴とする調理管理器具（２０）。
【請求項２】
前記制御装置（５０）は、フライパンを表す前記第１のアイコンを表示するため、２つの短い側方ブランチを有する偏平な「Ｕ」字形状のセグメント（３４）を作動させ、前記格納されたデータがフライパンを特徴付けていることを特徴とする請求項１に記載の調理管理器具（２０）。
【請求項３】
前記制御装置（５０）は、ソースパンまたはダッチオーブンを表す前記第２のアイコンを表示するため、２つの短い側方ブランチを有する偏平な「Ｕ」字形状の前記セグメント（３４）を、前記側方ブランチから延在する２本の直線形状をなすセグメント（３５）と共に作動させ、前記格納されたデータがソースパンまたはダッチオーブンを特徴付けていることを特徴とする請求項２に記載の調理管理器具（２０）。
【請求項４】
前記制御装置（５０）は、圧力鍋を表す第３のアイコンを表示するため、２つの短い側方ブランチを有する偏平な「Ｕ」字形状の前記セグメント（３４）および前記側方ブランチから延在する２本の直線形状をなす前記セグメント（３５）を、湾曲セグメント（３７）と、２つのフックおよび垂直線の形状をなすセグメント（３８）と共に作動させ、前記格納されたデータが圧力鍋を特徴付けていることを特徴とする請求項３に記載の調理管理器具（２０）。
【請求項５】
前記第１，第２，第３のアイコンを形成するため、前記制御装置によって作動させられるセグメントの数が７つよりも少なく、好ましくは５つよりも少ないことを特徴とする請求項４に記載の調理管理器具（２０）。
【請求項６】
前記調理容器（１）の種類を特徴付ける前記格納されたデータを使用者が修正することを可能にする手動制御装置を含むことを特徴とする請求項１から請求項５までの何れか一項に記載の調理管理器具（２０）。
【請求項７】
前記調理容器（１）の種類を特徴付ける前記格納されたデータを自発的に修正することを可能にする自動認識システム（２１）を含むことを特徴とする請求項１から請求項５までの何れか一項に記載の調理管理器具（２０）。
【請求項８】
前記制御装置（５０）に結合される結合手段、特にパッド（２５，２６，２７）を含み、前記結合手段は、前記調理容器（１）に配備された温度検出器（８０）と協力するように意図されていることを特徴とする請求項１から請求項７までの何れか一項に記載の調理管理器具（２０）。
【請求項９】
前記制御装置（５０）は、ノッチを含み、調理される食品を表す前記ディスプレイのほぼ矩形のセグメント（４０）を作動させ、前記制御装置（５０）は、「焼く」サイクルが開始される場合に第１のアイコンを表示するために前記矩形のセグメント（４０）の上方に配置される幾本かの短い線形状をなすセグメント（４１）か、「入念に調理する」サイクルが開始される場合に第２のアイコンを表示するために前記ノッチの上方に配置される幾本かの短い線形状をなすセグメント（４２）か、または「煮立たせる」サイクルが開始される場合に第３のアイコンを表示するために前記矩形のセグメント（４０）の上方に配置されたいくつかのディスク形状をなすセグメント（４３）を作動させることを特徴とする請求項１に記載の調理管理器具（２０）。
【請求項１０】
前記制御装置（５０）は、作動している前記調理サイクルを表すアイコンを表示するために１つ以上の表示セグメントを、前記格納されたデータに対応した種類の調理容器を表す前記アイコンに加えて作動させ、前記調理サイクルを表す前記アイコンは、前記調理容器の種類を表す前記アイコンの内側に表示されるように設計されていることを特徴とする請求項１から請求項９までの何れか一項に記載の調理管理器具（２０）。
【請求項１１】
少なくとも１つの調理容器（１）と、請求項１から請求項１０までの何れか一項に記載の調理管理器具（２０）とで形成されていることを特徴とするセット。
【請求項１２】
前記調理容器（１）は取手（７）を含み、この取手（７）に前記調理管理器具（２０）が配備されていることを特徴とする請求項１１に記載のセット。
【手続補正２】
【補正対象書類名】明細書
【補正対象項目名】００３０
【補正方法】変更
【補正の内容】
【００３０】
都合が良いことに、制御装置は、ディスプレイのノッチを含み、調理される食品を表すほぼ矩形のセグメントを作動させ、この制御装置は、「焼く」サイクルが開始される場合に第１のアイコンを表示するために矩形のセグメントの上方に配置される幾本かの短い線形状をなすセグメントか、「入念に調理する」サイクルが開始される場合に第２のアイコンを表示するためにノッチの上方に配置される幾本かの短い線形状をなすセグメントか、または「煮立たせる」サイクルが開始される場合に第３のアイコンを表示するために矩形のセグメントの上方に配置されるいくつかのディスク形状をなすセグメントを作動させる。
【手続補正３】
【補正対象書類名】明細書
【補正対象項目名】００３９
【補正方法】変更
【補正の内容】
【００３９】
【図１】本発明の特定な一実施形態による調理管理器具を含んだ調理容器の立体投影図を例示している。
【図２】図１に例示した調理管理器具を含む調理容器の取手の分解立体投影図を例示している。
【図３】図１に例示した調理管理器具の平面図をディスプレイと共に例示している。
【図４】図３に例示したディスプレイによって表示され、調理容器の種類および調理サイクルによるアイコンの一覧を例示している。
【手続補正４】
【補正対象書類名】明細書
【補正対象項目名】００５０
【補正方法】変更
【補正の内容】
【００５０】
Ａとして参照される調理サイクルは、フライパンまたはソースパンまたはダッチオーブンと相性がよい「焼く」サイクルに対応する。制御装置５０は、ディスプレイのノッチを含み、調理される食品を表すほぼ矩形のセグメント４０と、矩形のセグメント４０の上方に配置されて熱の放出を表す幾本かの短い線形状をなすセグメント４１とを作動させる。
【手続補正５】
【補正対象書類名】明細書
【補正対象項目名】００５２
【補正方法】変更
【補正の内容】
【００５２】
Ｃとして参照される調理サイクルは、フライパンまたはソースパンまたはダッチオーブンと相性がよい「煮立たせる」サイクルに対応する。制御装置５０は、セグメント４０と、矩形のセグメント４０の上方に配置されるいくつかのディスク形状をなし、蒸気気泡の放出を表すセグメント４３とを作動させる。制御装置５０はまた、調理容器がフライパンの場合、ふたを表す湾曲セグメント３７を作動させる。調理容器がソースパンまたはダッチオーブンの場合、この制御装置５０は、いくつかのディスク形状をなすセグメント４４と、ふたを表す湾曲セグメント３６とを作動させる。
【手続補正６】
【補正対象書類名】明細書
【補正対象項目名】００５８
【補正方法】変更
【補正の内容】
【００５８】
使用中、使用者は、使用者が調理することを望む食品の大きさおよび／または種類に適合した、例えばフライパンの如き調理容器１を選択し、使用者は調理管理器具２０をこの調理容器に取り付ける。次に、使用者は調理管理器具２０を電源投入して温度検出器８０の抵抗値を検出する自動認識システム２１を作動させる。次に、自動認識システム２１は、これがフライパンに配備されていることを決定し、制御装置５０は、フライパンを表すアイコンを表示するため、ディスプレイの２つの短い側方ブランチを有する偏平な「Ｕ」字形状のセグメント３４を作動させる。次に、使用者は、制御ユニット２７を用いて例えば「焼く」サイクルの如き調理サイクルを選択する。制御装置５０は、ディスプレイのノッチを含み、調理される食品を表すほぼ矩形のセグメント４０と、矩形のセグメント４０の上方に配置されて熱の放出を表す幾本かの短い線形状をなすセグメント４１とを作動させる。次に、使用者は、使用者があらかじめ通電状態に切り替えている加熱板に調理容器１を置く。食品の調理中、制御装置５０は、調理温度状態を使用者に示し、必要に応じて使用者が加熱出力を調整することを可能にするため、カラーアイコン１０，１１，１２の一つを取り囲む環状のセグメント１３，１４，１５の一つを選択された熱サイクルに応じて作動させよう。